(57)【要約】      （修正有）【課題】縦向きおよび横向きの両方の場合に、観察者に立体画像と、異なる観察位置にある観察者には、各々異なる画像を提供する。【解決手段】画像表示装置１は、遮光領域３１ｆおよび透過領域３２ｇのＡ方向の長さと位置を変化させることが可能な発光制御液晶パネル３と、表示パネル７が縦向きおよび横向きに配置された状態の両方で、透過領域３２ｇを介して照射される光を所定の方向に進行させる蝿の目レンズ６とを備えている。また、発光制御液晶パネル３は、表示パネル７が縦向きおよび横向きに配置された状態の両方で、遮光領域３１ｆおよび透過領域３２ｇのＡ方向の長さと位置を変化させることにより、透過領域３２ｇおよび蝿の目レンズ６を介して進行する光の到達位置を制御して、異なる観察位置に位置する観察者１０および２０に異なる画像を提供するとともに、観察者１０および２０に立体画像を提供する。【選択図】図１
2007094129.tif 000002
【特許請求の範囲】
【請求項１】
画像を表示するための表示パネルと、
前記表示パネルに光を照射するための光源と、
前記光源と前記表示パネルとの間に配置され、前記光源から照射された光を透過させるための透過部と遮光するための遮光部とを有するとともに、前記透過部および前記遮光部の観察者の左右の目を結んだ方向の長さと位置を変化させることが可能な発光制御手段と、
前記表示パネルが第１の方向および前記第１の方向と交差する第２の方向に配置された状態の両方で、前記光源から前記発光制御手段の透過部を介して照射される光を所定の方向に進行させるレンズとを備え、
前記発光制御手段は、
前記表示パネルが前記第１の方向および前記第２の方向に配置された状態の両方で、前記透過部および前記遮光部の観察者の左右の目を結んだ方向の長さと位置を変化させることにより、前記透過部および前記レンズを介して進行する光の到達位置を制御して、異なる観察位置に位置する観察者に異なる画像を提供するとともに、観察者に立体画像を提供する、画像表示装置。
【請求項２】
前記レンズは、複数のレンズがマトリクス状に配置され、前記表示パネルが前記第１の方向および前記第２の方向に配置された状態の両方で、前記光源から前記発光制御手段の透過部を介して照射される光を所定の方向に進行させる機能を有する蝿の目レンズを含む、請求項１に記載の画像表示装置。
【請求項３】
前記発光制御手段は、一対の透明基板と、前記一対の透明基板の間に配置される液晶と、一方の前記透明基板に形成される第１電極および第２電極と、他方の透明基板に形成される第３電極および第４電極とを有する発光制御液晶パネルを含み、
前記発光制御液晶パネルの第１電極、第２電極、第３電極および第４電極への電圧の印加状態を変化させることにより、前記透過部および前記遮光部の観察者の左右の目を結んだ方向の長さと位置を変化させる、請求項１または２に記載の画像表示装置。
【請求項４】
前記発光制御液晶パネルの第１電極および第２電極は、前記表示パネルが前記第１の方向に配置された状態で、前記観察者の左右の目を結んだ方向と交差する方向に沿って延びるとともに、前記観察者の左右の目を結んだ方向に所定の間隔を隔てて隣接するように形成されており、前記発光制御液晶パネルの第３電極および第４電極は、前記表示パネルが前記第２の方向に配置された状態で、前記観察者の左右の目を結んだ方向と交差する方向に沿って延びるとともに、前記観察者の左右の目を結んだ方向に所定の間隔を隔てて隣接するように形成されている、請求項３に記載の画像表示装置。
【請求項５】
前記表示パネルが第１の方向に配置された状態で、
前記第２電極、前記第３電極および前記第４電極に共通の第１電圧を印加するとともに、前記第１電極に対応する部分に位置する前記液晶に電圧が印加されるように前記第１電極に第２電圧を印加する第１の状態と、
前記第１電極、前記第３電極および前記第４電極に共通の第３電圧を印加するとともに、前記第２電極に対応する部分に位置する前記液晶に電圧が印加されるように前記第２電極に第４電圧を印加する第２の状態とを切り換えることにより、前記発光制御液晶パネルの透過部および遮光部を入れ替える、請求項３または４に記載の画像表示装置。
【請求項６】
前記表示パネルが第２の方向に配置された状態で、
前記第１電極、前記第２電極および前記第４電極に共通の第５電圧を印加するとともに、前記第３電極に対応する部分に位置する前記液晶に電圧が印加されるように前記第３電極に第６電圧を印加する第３の状態と、
前記第１電極、前記第２電極および前記第３電極に共通の第７電圧を印加するとともに、前記第４電極に対応する部分に位置する前記液晶に電圧が印加されるように前記第４電極に第８電圧を印加する第４の状態とを切り換えることにより、前記発光制御液晶パネルの透過部および遮光部を入れ替える、請求項３または４に記載の画像表示装置。
【請求項７】
前記発光制御手段の透過部および遮光部は、前記表示パネルの１／ｎフレーム期間（ｎは２以上の自然数）毎に入れ替わるように制御され、
前記表示パネルは、前記発光制御手段の透過部と遮光部とが入れ替わるのに同期して、前記表示パネルに表示される第１画像と第２画像とが入れ替わるように制御される、請求項１〜６のいずれか１項に記載の画像表示装置。
【請求項８】
前記１／ｎフレーム期間は、１／２フレーム期間である、請求項７に記載の画像表示装置。
【請求項９】
観察者の位置を検出するための位置検出手段と、
前記位置検出手段により検出された前記観察者の位置に応じて、前記発光制御手段の透過部および遮光部を移動させるための制御部とをさらに備える、請求項１〜８のいずれか１項に記載の画像表示装置。
【請求項１０】
前記発光制御手段の透過部および遮光部の観察者の左右の目を結んだ方向の長さと位置を変化させることにより、前記透過部および前記レンズを介して進行する光の到達位置を制御して、所定の位置の観察者のみに画像を提供する、請求項１〜４のいずれか１項に記載の画像表示装置。
【請求項１１】
前記発光制御手段または前記表示パネルには、前記レンズが一体的に設けられている、請求項１〜１０のいずれか１項に記載の画像表示装置。
【請求項１２】
前記表示パネルの傾斜角度を検出するための傾斜検出手段をさらに備え、
前記発光制御液晶パネルは、前記傾斜検出手段により検出された前記表示パネルの傾斜角度に基づいて、前記発光制御液晶パネルの第１電極、第２電極、第３電極および第４電極に印加する電圧を制御する、請求項４〜６のいずれか１項に記載の画像表示装置。
【発明の詳細な説明】
【技術分野】
【０００１】
この発明は、画像表示装置に関し、特に、光源からの光を所定の方向に進行させるレンズを備えた画像表示装置に関する。
【背景技術】
【０００２】
従来、光源からの光を所定の方向に進行させるレンズを用いて、観察者に３次元の立体画像を提供するカラー立体表示装置が知られている（たとえば、特許文献１参照）。
【０００３】
上記特許文献１に開示されたカラー立体表示装置では、観察者側から順番に、レンチキュラーレンズシート、カラーフィルタ、液晶パネルおよびバックライトが配置されている。そして、バックライトから照射された光は、液晶パネルにより光の透過量を制御されて、カラーフィルタに入射する。このカラーフィルタに入射した光は、光の透過量に応じて所定の色の光としてレンチキュラーレンズシートに進行して、レンチキュラーレンズシートのレンズにより観察者の左目および右目に入射するように屈折される。これにより、観察者は、カラーの立体映像を観察することが可能となる。
【０００４】
【特許文献１】特開２００３−２９２０５号公報
【発明の開示】
【発明が解決しようとする課題】
【０００５】
しかしながら、上記特許文献１に開示されたカラー立体表示装置は、たとえば、縦向きに配置した場合にのみ観察者に立体画像を提供するように構成されているため、このカラー立体表示装置を、たとえば、横向きに配置した場合には、観察者に立体画像を提供することが困難であるという問題点がある。
【０００６】
この発明は、上記のような課題を解決するためになされたものであり、この発明の１つの目的は、縦向きに配置した場合および横向きに配置した場合の両方の場合に、観察者に立体画像を提供するとともに、異なる観察位置に位置する観察者に異なる画像を提供することが可能な画像表示装置を提供することである。
【課題を解決するための手段および発明の効果】
【０００７】
上記目的を達成するために、この発明の一の局面による画像表示装置は、画像を表示するための表示パネルと、表示パネルに光を照射するための光源と、光源と表示パネルとの間に配置され、光源から照射された光を透過させるための透過部と遮光するための遮光部とを有するとともに、透過部および遮光部の観察者の左右の目を結んだ方向の長さと位置を変化させることが可能な発光制御手段と、表示パネルが第１の方向および第１の方向と交差する第２の方向に配置された状態の両方で、光源から発光制御手段の透過部を介して照射される光を所定の方向に進行させるレンズとを備え、発光制御手段は、表示パネルが第１の方向および第２の方向に配置された状態の両方で、透過部および遮光部の観察者の左右の目を結んだ方向の長さと位置を変化させることにより、透過部およびレンズを介して進行する光の到達位置を制御して、異なる観察位置に位置する観察者に異なる画像を提供するとともに、観察者に立体画像を提供する。
【０００８】
この一の局面による画像表示装置では、上記のように、表示パネルが第１の方向（縦向き）および第２の方向（横向き）に配置された状態の両方で、透過部および遮光部の観察者の左右の目を結んだ方向の長さと位置を変化させることにより、透過部およびレンズを介して進行する光の到達位置を制御して、異なる観察位置に位置する観察者に異なる画像を提供することができる。これにより、表示パネルを第１の方向（縦向き）に配置した場合のみならず第２の方向（横向き）に配置した場合にも、異なる観察位置に位置する観察者に異なる画像を提供することができる。また、同様にして、観察者の右目および左目に異なる画像を提供することができる。これにより、表示パネルを第１の方向（縦向き）に配置した場合のみならず第２の方向（横向き）に配置した場合にも、観察者に立体画像を提供することができる。
【０００９】
上記一の局面による画像表示装置において、好ましくは、レンズは、複数のレンズがマトリクス状に配置され、表示パネルが第１の方向および第２の方向に配置された状態の両方で、光源から発光制御手段の透過部を介して照射される光を所定の方向に進行させる機能を有する蝿の目レンズを含む。このような機能を有する蝿の目レンズを用いれば、容易に、表示パネルが第１の方向および第２の方向に配置された状態の両方で、光源から発光制御手段の透過部を介して照射される光を所定の方向に進行させることができる。
【００１０】
上記一の局面による画像表示装置において、好ましくは、発光制御手段は、一対の透明基板と、一対の透明基板の間に配置される液晶と、一方の透明基板に形成される第１電極および第２電極と、他方の透明基板に形成される第３電極および第４電極とを有する発光制御液晶パネルを含み、発光制御液晶パネルの第１電極、第２電極、第３電極および第４電極への電圧の印加状態を変化させることにより、透過部および遮光部の観察者の左右の目を結んだ方向の長さと位置を変化させる。このように構成すれば、たとえば、表示パネルを第１の方向（縦向き）に配置した場合に、発光制御液晶パネルの第１電極が形成される部分に位置する液晶に電圧が印加されるように、第１電極〜第４電極の印加状態を変化させることによって、第１電極が形成される部分を通過した光を遮光することができるとともに、第１電極以外の部分を通過した光を透過させることができる。したがって、第１電極〜第４電極への印加状態を変化させることにより、容易に、光源からの光を遮光する遮光部と透過する透過部とを形成することができる。また、たとえば、表示パネルを第２の方向（横向き）に配置した場合に、発光制御液晶パネルの第３電極が形成される部分に位置する液晶に電圧が印加されるように、第１電極〜第４電極の印加状態を変化させることによって、第３電極が形成される部分を通過した光を遮光することができるとともに、第３電極以外の部分を通過した光を透過させることができる。したがって、第１電極〜第４電極への印加状態を変化させることにより、容易に、光源からの光を遮光する遮光部と透過する透過部とを形成することができる。これらの結果、容易に、表示パネルを第１の方向（縦向き）および第２の方向（横向き）に配置した場合の両方で、異なる観察位置に位置する観察者に異なる画像を提供することができるとともに、観察者に立体画像を提供することができる。
【００１１】
この場合、好ましくは、発光制御液晶パネルの第１電極および第２電極は、表示パネルが第１の方向に配置された状態で、観察者の左右の目を結んだ方向と交差する方向に沿って延びるとともに、観察者の左右の目を結んだ方向に所定の間隔を隔てて隣接するように形成されており、発光制御液晶パネルの第３電極および第４電極は、表示パネルが第２の方向に配置された状態で、観察者の左右の目を結んだ方向と交差する方向に沿って延びるとともに、観察者の左右の目を結んだ方向に所定の間隔を隔てて隣接するように形成されている。このように構成すれば、第１の方向（縦方向）に表示パネルを配置した場合に、観察者の左右の目を結んだ方向と交差する方向に沿って延びる透過部を介してレンズに光を進行させることができる。これにより、容易に、レンズに入射した光を所定の観察者の位置に集光させることができるとともに、観察者の目の位置に集光させることができる。また、第２の方向（横方向）に表示パネルを配置した場合にも、観察者の左右の目を結んだ方向と交差する方向に沿って延びる透過部を介してレンズに光を進行させることができる。これにより、容易に、レンズに入射した光を所定の観察者の位置に集光させることができるとともに、観察者の目の位置に集光させることができる。
【００１２】
上記第１電極および第２電極を含む発光制御液晶パネルを備えた画像表示装置において、好ましくは、表示パネルが第１の方向に配置された状態で、第２電極、第３電極および第４電極に共通の第１電圧を印加するとともに、第１電極に対応する部分に位置する液晶に電圧が印加されるように第１電極に第２電圧を印加する第１の状態と、第１電極、第３電極および第４電極に共通の第３電圧を印加するとともに、第２電極に対応する部分に位置する液晶に電圧が印加されるように第２電極に第４電圧を印加する第２の状態とを切り換えることにより、発光制御液晶パネルの透過部および遮光部を入れ替える。このように構成すれば、表示パネルを第１の方向に配置した場合に、所定のタイミング毎に、光源から集光される光の位置を変化することができる。これにより、所定のタイミング毎に表示パネルに異なる平面画像を表示させることにより、異なる観察位置に位置する観察者に異なる平面画像を提供することができる。また、所定のタイミング毎に表示パネルに右目用画像および左目用画像を表示させるとともに光の到達領域も変化させることにより、観察者に立体画像を提供することができる。
【００１３】
上記第１電極および第２電極を含む発光制御液晶パネルを備えた画像表示装置において、好ましくは、表示パネルが第２の方向に配置された状態で、第１電極、第２電極および第４電極に共通の第５電圧を印加するとともに、第３電極に対応する部分に位置する液晶に電圧が印加されるように第３電極に第６電圧を印加する第３の状態と、第１電極、第２電極および第３電極に共通の第７電圧を印加するとともに、第４電極に対応する部分に位置する液晶に電圧が印加されるように第４電極に第８電圧を印加する第４の状態とを切り換えることにより、発光制御液晶パネルの透過部および遮光部を入れ替える。このように構成すれば、表示パネルを第２の方向に配置した場合に、所定のタイミング毎に、光源から集光される光の位置を変化することができる。これにより、所定のタイミング毎に表示パネルに異なる平面画像を表示させることにより、異なる観察位置に位置する観察者に異なる平面画像を提供することができる。また、所定のタイミング毎に表示パネルに右目用画像および左目用画像を表示させるとともに光の到達領域も変化させることにより、観察者に立体画像を提供することができる。
【００１４】
上記一の局面による画像表示装置において、好ましくは、発光制御手段の透過部および遮光部は、表示パネルの１／ｎフレーム期間（ｎは２以上の自然数）毎に入れ替わるように制御され、表示パネルは、発光制御手段の透過部と遮光部とが入れ替わるのに同期して、表示パネルに表示される第１画像と第２画像とが入れ替わるように制御される。このように構成すれば、１／ｎフレーム期間の間では、観察者の右目に、表示パネルに表示される第１画像（たとえば、右目用画像）を入射させるとともに、観察者の左目に、光源からの光が導かれないようにすることができる。そして、次の１／ｎフレーム期間の間では、観察者の左目に、表示パネルに表示される第２画像（たとえば、左目用画像）を入射させるとともに、観察者の右目に、光源からの光が導かれないようにすることができる。これにより、１フレーム期間の間に、観察者の右目は第１画像（右目用画像）を見ることができるとともに、観察者の左目は第２画像（左目用画像）を見ることができる。その結果、観察者の右目および左目は、それぞれ同時に、表示パネルに表示される第１画像（右目用画像）および第２画像（左目用画像）を連続して観察していると認識するため、観察者は立体画像を見ることができる。また、１／ｎフレーム期間の間では、一方の観察者に、表示パネルに表示される第１画像（たとえば、平面画像）を入射させるとともに、他方の観察者に、光源からの光が導かれないようにすることができる。そして、次の１／ｎフレーム期間の間では、他方の観察者に表示パネルに表示される第２画像（たとえば、平面画像）を入射させるとともに、一方の観察者に、光源からの光が導かれないようにすることができる。これにより、１フレーム期間の間に、一方の観察者は第１画像（平面画像）を見ることができるとともに、他方の観察者は第２画像（平面画像）を見ることができる。その結果、一方の観察者および他方の観察者は、それぞれ同時に、表示パネルに表示される第１画像および第２画像を連続して観察していると認識するため、一方の観察者および他方の観察者に、それぞれ、異なる平面画像（２次元画像）を提供することができる。
【００１５】
上記一の局面による画像表示装置において、好ましくは、１／ｎフレーム期間は、１／２フレーム期間である。このように構成すれば、１フレーム期間に、観察者の右目に表示パネルに表示される第１画像（たとえば、右目用画像）を提供することができるとともに、観察者の左目に表示パネルに表示される第２画像（たとえば、左目用画像）を提供することができる。また、１フレーム期間に、一方の観察者に表示パネルに表示される第１画像（平面画像）を提供することができるとともに、他方の観察者に表示パネルに表示される第２画像（平面画像）を提供することができる。
【００１６】
上記一の局面による画像表示装置において、好ましくは、観察者の位置を検出するための位置検出手段と、位置検出手段により検出された観察者の位置に応じて、発光制御手段の透過部および遮光部を移動させるための制御部とをさらに備える。このように構成すれば、観察者が動くのを位置検出手段により検出するとともに、その検出した位置情報に基づいて透過部および遮光部を制御部により移動させることができるので、観察者が動いた場合にも、観察者に適切な画像を提供することができる。
【００１７】
上記一の局面による画像表示装置において、好ましくは、発光制御手段の透過部および遮光部の観察者の左右の目を結んだ方向の長さと位置を変化させることにより、透過部およびレンズを介して進行する光の到達位置を制御して、所定の位置の観察者のみに画像を提供する。このように構成すれば、たとえば、発光制御手段の透過部の観察者の左右の目を結んだ方向の長さを小さくすることにより、表示パネルに表示される画像を観察することが可能な領域を小さくすることができる。これにより、第１の観察者が表示パネルに表示される画像を観察する視野角を制限することができるので、第１の観察者が観察する表示パネルの画像を、第１の観察者とは異なる位置にいる第２の観察者が観察するのを抑制することができる。
【００１８】
上記一の局面による画像表示装置において、発光制御手段または表示パネルに、レンズを一体的に設けてもよい。このように構成すれば、レンズと、発光制御手段または表示パネルとを別個に設ける場合に比べて、部品点数を削減することができる。
【００１９】
上記第１電極および第２電極を含む発光制御液晶パネルを備えた画像表示装置において、好ましくは、表示パネルの傾斜角度を検出するための傾斜検出手段をさらに備え、発光制御液晶パネルは、傾斜検出手段により検出された表示パネルの傾斜角度に基づいて、発光制御液晶パネルの第１電極、第２電極、第３電極および第４電極に印加する電圧を制御する。このように構成すれば、容易に、表示パネルが第１の方向に配置されているのか、第２の方向に配置されているのかを判断することができる。その結果、表示パネルの配置状態に応じて、発光制御液晶パネルの第１電極、第２電極、第３電極および第４電極への電圧の印加状態を変化させることにより、所定の位置に透過部および遮光部を設けることができるので、表示パネルが第１の方向および第２の方向に配置された両方の場合で、異なる観察位置の観察者に異なる画像を提供することができるとともに、観察者に立体画像を提供することができる。
【発明を実施するための最良の形態】
【００２０】
以下、本発明を具体化した実施形態を図面に基づいて説明する。
【００２１】
（第１実施形態）
図１は、本発明の第１実施形態による画像表示装置の分解斜視図である。図２は、図１に示した第１実施形態による画像表示装置の縦向き配置時において観察者が画像表示装置を見た状態を上方から示した図である。図３は、図１に示した第１実施形態による画像表示装置の発光制御液晶パネルの分解斜視図である。まず、図１〜図３を参照して、本発明の第１実施形態による画像表示装置１の構成について説明する。
【００２２】
本発明の第１実施形態による画像表示装置１は、図１および図２に示すように、バックライト２と、バックライト２の光出射側に配置される発光制御液晶パネル３と、発光制御液晶パネル３を挟み込むように配置される偏光板４および５と、偏光板５の光出射側に配置される蝿の目レンズ６と、蝿の目レンズ６の光出射側に配置される表示パネル７と、表示パネル７の光出射側に配置される偏光板８とを備えている。
【００２３】
バックライト２は、偏光板４側に向かって光を照射するために設けられている。なお、バックライト２は、本発明の「光源」の一例である。また、偏光板４は、観察者１０および２０側から見て約１３５°の偏光軸を有するように設定されているので、観察者１０および２０側から見て約１３５°の偏光軸を有する光を透過する機能を有している。以下、特に記載のない限り、偏光軸の角度は、観察者１０および２０側から見た角度を示す。なお、偏光軸の角度は、画像表示装置１を縦向きに配置した状態における角度を示す。そして、発光制御液晶パネル３の観察者１０および２０側に配置される偏光板５は、約４５°の偏光軸を有するように設定されているので、約４５°の偏光軸を有する光を透過する機能を有している。
【００２４】
ここで、第１実施形態では、発光制御液晶パネル３は、ＴＮ（Ｔｗｉｓｔｅｄ  Ｎｅｍａｔｉｃ）液晶パネルからなるとともに、ＯＦＦ状態で、入射した光の偏光軸を約９０°変化させた状態で出射させるとともに、ＯＮ状態で、入射した光の偏光軸をほぼ変化させないで出射させる９０°ＴＮ方式を用いている。なお、発光制御液晶パネル３は、本発明の「発光制御手段」の一例である。この発光制御液晶パネル３は、図３に示すように、ガラス基板からなる一対の透明基板３ａおよび３ｂと、一対の透明基板３ａおよび３ｂの間に配置される液晶３ｃと、バックライト２（図１参照）側の透明基板３ａに形成される電極３ｄと、観察者１０および２０（図１参照）側の透明基板３ｂに形成される電極３ｅとを含んでいる。
【００２５】
また、第１実施形態では、透明基板３ａに形成される電極３ｄは、画像表示装置１を縦向きに配置した状態で、図３のＢ方向に沿って延びるように形成されているとともに、図３のＡ方向に所定の間隔を隔てて隣接するように複数形成されている。また、透明基板３ｂに形成される電極３ｅは、画像表示装置１を縦向きに配置した状態で、図３のＡ方向に沿って延びるように形成されているとともに、図３のＢ方向に所定の間隔を隔てて隣接するように複数形成されている。そして、透明基板３ａおよび３ｂに形成される電極３ｄおよび３ｅには、後述する各モード（縦置き配置時の２画面表示モード、縦置き配置時の立体画像表示モード、横置き配置時の２画面表示モード、横置き配置時の立体画像表示モード、視野角限定モード、ヘッドトラッキングモード）に応じて、パルス状の電圧が印加される。
【００２６】
蝿の目レンズ６には、図１に示すように、複数のレンズ部６ａが図１のＡ方向およびＢ方向に沿ってマトリクス状に形成されている。この蝿の目レンズ６は、画像表示装置１を縦向きに配置した状態で、発光制御液晶パネル３を透過した光を所定の方向に進行させるとともに、画像表示装置１を横向きに配置した状態で、発光制御液晶パネル３を透過した光を所定の方向に進行させる機能を有している。なお、蝿の目レンズ６は、本発明の「レンズ」の一例である。
【００２７】
表示パネル７は、観察者１０および２０に提供する画像を表示するために設けられている。この表示パネル７は、１／１２０秒（１／２フレーム期間）毎に画像を入れ替えて表示することが可能なように構成されている。
【００２８】
偏光板８は、図１に示すように、約４５°の偏光軸を有するように設定されているので、約４５°の偏光軸を有する光を透過する機能を有している。
【００２９】
（縦向き配置時の２画面表示モード）
図４〜図１２は、図１に示した第１実施形態による画像表示装置の縦向き配置時における２画面表示方法を説明するための図である。なお、図８および図１１において、破線は、偏光板４、５および８の偏光軸の角度を示すとともに、矢印は、透過光の偏光軸の角度を示す。次に、図３〜図１２を参照して、本発明の第１実施形態による画像表示装置１の縦向き配置時における２画面表示方法について説明する。
【００３０】
縦向き配置時の２画面表示モードでは、図４および図５に示すように、発光制御液晶パネル３には、図４および図５のＢ方向に沿って延びる領域３ｆおよび３ｇが設けられており、その領域３ｆおよび３ｇは、Ａ方向に交互に隣接するように設けられている。また、図４に示すように、領域３ｆには、透明基板３ａ側に形成される電極３ｄ（図３参照）の内の所定の４本の電極３１ｄが設けられるとともに、領域３ｇには、透明基板３ａ側に形成される電極３ｄの内の所定の４本の電極３２ｄが設けられる。つまり、各々の領域３ｆおよび３ｇは、それぞれ、４本の電極３ｄ分のＡ方向の長さを有している。なお、電極３１ｄおよび３２ｄは、それぞれ、本発明の「第１電極」および「第２電極」の一例である。そして、図６および図１２に示すように、領域３ｆおよび領域３ｇからなる組は、蝿の目レンズ６の１つのレンズ部６ａにつき１組が対応する。これにより、領域３ｆを通過した光を、蝿の目レンズ６のレンズ部６ａにより、観察者２０が位置する領域に集光させるとともに、領域３ｇを通過した光を、蝿の目レンズ６のレンズ部６ａにより、観察者１０が位置する領域に集光させることが可能となる。
【００３１】
上記構成において、０／１２０秒〜１／１２０秒の間では、図７に示すように、領域３ｇに位置する電極３２ｄ（図４参照）および透明基板３ｂに形成される電極３ｅ（図３参照）には、共通のパルス状の電圧（第１電圧）が印加される。これに対して、領域３ｆに位置する電極３１ｄ（図４参照）には、電極３２ｄおよび３ｅに印加されるパルス状の電圧（第１電圧）とは異なる逆位相のパルス状の電圧（第２電圧）が印加される。これにより、透明基板３ａ側の電極３１ｄと、透明基板３ｂ側の電極３ｅとの間に電位差が生じるので、液晶３ｃ（図３参照）の電極３１ｄに対応する部分に電圧が印加される。すなわち、図４および図５に示すように、液晶３ｃの電極３１ｄに対応する領域３ｆ（ハッチング（斜線）領域）がＯＮ状態の遮光領域３１ｆとなり、このＯＮ状態の遮光領域３１ｆを透過する光は偏光軸が変化されずに通過する。これに対して、透明基板３ａ側の電極３２ｄと、透明基板３ｂ側の電極３ｅとの間には電位差が生じないので、液晶３ｃの電極３２ｄに対応する部分には電圧が印加されない。すなわち、液晶３ｃの電極３２ｄに対応する領域３ｇ（非ハッチング領域）がＯＦＦ状態の透過領域３２ｇとなり、このＯＦＦ状態の透過領域３２ｇを透過する光は偏光軸が９０°変化されて通過する。なお、遮光領域３１ｆおよび透過領域３２ｇは、それぞれ、本発明の「遮光部」および「透過部」の一例である。
【００３２】
０／１２０秒〜１／１２０秒の間では、バックライト２から照射された光は、図８に示すように、偏光板４により、約１３５°の偏光軸を有する光を透過する。そして、約１３５°の偏光軸を有する光は、上記のように制御された発光制御液晶パネル３に入射する。この場合、ＯＮ状態の領域３ｆの遮光領域３１ｆに入射した光は、偏光軸が変化されずにそのまま通過して、約４５°の偏光軸を有する偏光板５に入射する。そして、この偏光板５に入射した約１３５°の偏光軸を有する光は、約４５°の偏光軸を有する偏光板５によって遮光される。また、ＯＦＦ状態の領域３ｇの透過領域３２ｇに入射した光は、偏光軸が９０°変化されて、約４５°の偏光軸を有する光となって、約４５°の偏光軸を有する偏光板５に入射する。そして、この約４５°の偏光軸を有する光は、約４５°の偏光軸を有する偏光板５をそのまま通過する。
【００３３】
したがって、発光制御液晶パネル３の領域３ｇの透過領域３２ｇを通過した光は、図６に示すように、蝿の目レンズ６のレンズ部６ａにより、観察者１０の位置する領域に集光される。この期間（０／１２０秒〜１／１２０秒）では、表示パネル７には、観察者１０用の平面画像Ｐ１（たとえば、カーナビゲーション用画像）が表示されているので、観察者１０は、平面画像Ｐ１を観察することが可能となる。これに対して、観察者２０には、バックライト２から照射された光は到達しない。
【００３４】
そして、１／１２０秒〜２／１２０秒の間では、図９に示すように、領域３ｆに位置する電極３１ｄ（図１０参照）および透明基板３ｂに形成される電極３ｅ（図３参照）には、共通のパルス状の電圧（第３電圧）が印加される。これに対して、領域３ｇに位置する電極３２ｄ（図１０参照）には、電極３１ｄおよび３ｅに印加されるパルス状の電圧（第３電圧）とは異なる逆位相のパルス状の電圧（第４電圧）が印加される。これにより、透明基板３ａ側の電極３２ｄと、透明基板３ｂ側の電極３ｅとの間に電位差が生じるので、液晶３ｃ（図３参照）の電極３２ｄに対応する部分に電圧が印加される。すなわち、図１０に示すように、液晶３ｃの電極３２ｄに対応する領域３ｇ（ハッチング領域）がＯＮ状態の遮光領域３１ｇとなり、このＯＮ状態の遮光領域３１ｇを透過する光は偏光軸が変化されずに通過する。これに対して、透明基板３ａ側の電極３１ｄと、透明基板３ｂ側の電極３ｅとの間には電位差が生じないので、液晶３ｃの電極３１ｄに対応する部分には電圧が印加されない。すなわち、液晶３ｃの電極３１ｄに対応する領域３ｆ（非ハッチング領域）がＯＦＦ状態の透過領域３２ｆとなり、このＯＦＦ状態の透過領域３２ｆを透過する光は偏光軸が９０°変化されて通過する。なお、遮光領域３１ｇおよび透過領域３２ｆは、それぞれ、本発明の「遮光部」および「透過部」の一例である。
【００３５】
１／１２０秒〜２／１２０秒の間では、バックライト２から照射された光は、図１１に示すように、偏光板４により、約１３５°の偏光軸を有する光を透過する。そして、約１３５°の偏光軸を有する光は、上記のように制御された発光制御液晶パネル３に入射する。この場合、ＯＮ状態の領域３ｇの遮光領域３１ｇに入射した光は、偏光軸が変化されずにそのまま通過して、約４５°の偏光軸を有する偏光板５に入射する。そして、この偏光板５に入射した約１３５°の偏光軸を有する光は、約４５°の偏光軸を有する偏光板５によって遮光される。また、ＯＦＦ状態の領域３ｆの透過領域３２ｆに入射した光は、偏光軸が９０°変化されて、約４５°の偏光軸を有する光となって、約４５°の偏光軸を有する偏光板５に入射する。そして、この約４５°の偏光軸を有する光は、約４５°の偏光軸を有する偏光板５をそのまま通過する。
【００３６】
したがって、発光制御液晶パネル３の領域３ｆの透過領域３２ｆを通過した光は、図１２に示すように、蝿の目レンズ６のレンズ部６ａにより、観察者２０の位置する領域に集光される。この期間（１／１２０秒〜２／１２０秒）では、表示パネル７には、観察者２０用の平面画像Ｐ２（たとえば、テレビ用画像）が表示されているので、観察者２０は、平面画像Ｐ２を観察することが可能となる。これに対して、観察者１０には、バックライト２から照射された光は到達しない。
【００３７】
そして、２／１２０秒〜３／１２０秒の間では、図４〜図８に示した０／１２０秒〜１／１２０秒の間と同様に、観察者１０は、表示パネル７に画像Ｐ１を観察するとともに、観察者２０には、バックライト２から照射された光は到達しない。そして、３／１２０秒〜４／１２０秒の間では、図９〜図１２に示した１／１２０秒〜２／１２０秒の間と同様に、観察者２０は、表示パネル７に画像Ｐ２を観察するとともに、観察者１０には、バックライト２から照射された光は到達しない。この後も、１／６０秒（２／１２０秒）毎に、同様の動作が繰り返される。これにより、１フレーム期間（１／６０秒（２／１２０秒））の間に、観察者１０は画像Ｐ１を見ることが可能となるとともに、観察者２０は画像Ｐ２を見ることが可能となる。その結果、観察者１０および観察者２０は、それぞれ同時に、表示パネル７に表示される画像Ｐ１および画像Ｐ２を連続して観察していると認識することになるので、観察者１０および２０に画像劣化の少ない異なる画像を提供することが可能となる。
【００３８】
（縦向き配置時の立体画像表示モード）
図１３〜図２０は、図１に示した第１実施形態による画像表示装置の縦向き配置時における立体画像表示方法を説明するための図である。なお、図１６および図１９において、破線は、偏光板４、５および８の偏光軸の角度を示すとともに、矢印は、透過光の偏光軸の角度を示す。次に、図３および図１３〜図２０を参照して、本発明の第１実施形態による画像表示装置１の縦向き配置時における立体画像表示方法について説明する。
【００３９】
縦向き配置時の立体画像表示モードでは、図１３に示すように、発光制御液晶パネル３には、図１３のＢ方向に沿って延びる領域３ｈおよび３ｉが設けられており、その領域３ｈおよび３ｉは、Ａ方向に交互に隣接するように設けられている。また、領域３ｈには、透明基板３ａ側に形成される電極３ｄ（図３参照）の内の所定の２本の電極３３ｄが設けられるとともに、領域３ｉには、透明基板３ａ側に形成される電極３ｄの内の所定の２本の電極３４ｄが設けられる。つまり、各々の領域３ｈおよび３ｉは、それぞれ、２本の電極３ｄ分のＡ方向の長さを有している。なお、電極３３ｄおよび３４ｄは、それぞれ、本発明の「第１電極」および「第２電極」の一例である。そして、図１４および図２０に示すように、領域３ｈおよび領域３ｉからなる組は、蝿の目レンズ６の１つのレンズ部６ａにつき２組が対応する。これにより、領域３ｈを通過した光を、蝿の目レンズ６のレンズ部６ａにより、観察者１０および２０の右目１０ｂおよび２０ｂが位置する領域に集光させるとともに、領域３ｉを通過した光を、蝿の目レンズ６のレンズ部６ａにより、観察者１０および２０の左目１０ａおよび２０ａが位置する領域に集光させることが可能となる。
【００４０】
上記構成において、０／１２０秒〜１／１２０秒の間では、図１５に示すように、領域３ｉに位置する電極３４ｄ（図１３参照）および透明基板３ｂに形成される電極３ｅ（図３参照）には、共通のパルス状の電圧（第１電圧）が印加される。これに対して、領域３ｈに位置する電極３３ｄ（図１３参照）には、電極３４ｄおよび３ｅに印加されるパルス状の電圧（第１電圧）とは異なる逆位相のパルス状の電圧（第２電圧）が印加される。これにより、透明基板３ａ側の電極３３ｄと、透明基板３ｂ側の電極３ｅとの間に電位差が生じるので、液晶３ｃ（図３参照）の電極３３ｄに対応する部分に電圧が印加される。すなわち、図１３に示すように、液晶３ｃの電極３３ｄに対応する領域３ｈ（ハッチング領域）がＯＮ状態の遮光領域３１ｈとなり、このＯＮ状態の遮光領域３１ｈを透過する光は偏光軸が変化されずに通過する。これに対して、透明基板３ａ側の電極３４ｄと、透明基板３ｂ側の電極３ｅとの間には電位差が生じないので、液晶３ｃの電極３４ｄに対応する部分には電圧が印加されない。すなわち、液晶３ｃの電極３４ｄに対応する領域３ｉ（非ハッチング領域）がＯＦＦ状態の透過領域３２ｉとなり、このＯＦＦ状態の透過領域３２ｉを透過する光は偏光軸が９０°変化されて通過する。なお、遮光領域３１ｈおよび透過領域３２ｉは、それぞれ、本発明の「遮光部」および「透過部」の一例である。
【００４１】
０／１２０秒〜１／１２０秒の間では、バックライト２から照射された光は、図１６に示すように、偏光板４により、約１３５°の偏光軸を有する光を透過する。そして、約１３５°の偏光軸を有する光は、上記のように制御された発光制御液晶パネル３に入射する。この場合、ＯＮ状態の領域３ｈの遮光領域３１ｈに入射した光は、偏光軸が変化されずにそのまま通過して、約４５°の偏光軸を有する偏光板５に入射する。そして、この偏光板５に入射した約１３５°の偏光軸を有する光は、約４５°の偏光軸を有する偏光板５によって遮光される。また、ＯＦＦ状態の領域３ｉの透過領域３２ｉに入射した光は、偏光軸が９０°変化されて、約４５°の偏光軸を有する光となって、約４５°の偏光軸を有する偏光板５に入射する。そして、この約４５°の偏光軸を有する光は、約４５°の偏光軸を有する偏光板５をそのまま通過する。
【００４２】
したがって、発光制御液晶パネル３の領域３ｉの透過領域３２ｉを通過した光は、図１４に示すように、蝿の目レンズ６のレンズ部６ａにより、左目１０ａおよび２０ａの位置する領域に集光される。この期間（０／１２０秒〜１／１２０秒）では、表示パネル７には、左目１０ａおよび２０ａ用の左目用画像Ｌ１が表示されているので、左目１０ａおよび２０ａは、左目用画像Ｌ１を観察することが可能となる。これに対して、右目１０ｂおよび２０ｂには、バックライト２から照射された光は到達しない。
【００４３】
そして、１／１２０秒〜２／１２０秒の間では、図１７に示すように、領域３ｈに位置する電極３３ｄ（図１８参照）および透明基板３ｂに形成される電極３ｅ（図３参照）には、共通のパルス状の電圧（第３電圧）が印加される。これに対して、領域３ｉに位置する電極３４ｄ（図１８参照）には、電極３３ｄおよび３ｅに印加されるパルス状の電圧（第３電圧）とは異なる逆位相のパルス状の電圧（第４電圧）が印加される。これにより、透明基板３ａ側の電極３４ｄと、透明基板３ｂ側の電極３ｅとの間に電位差が生じるので、液晶３ｃ（図３参照）の電極３４ｄに対応する部分に電圧が印加される。すなわち、図１８に示すように、液晶３ｃの電極３４ｄに対応する領域３ｉ（ハッチング領域）がＯＮ状態の遮光領域３１ｉとなり、このＯＮ状態の遮光領域３１ｉを透過する光は偏光軸が変化されずに通過する。これに対して、透明基板３ａ側の電極３３ｄと、透明基板３ｂ側の電極３ｅとの間には電位差が生じないので、液晶３ｃの電極３３ｄに対応する部分には電圧が印加されない。すなわち、液晶３ｃの電極３３ｄに対応する領域３ｈ（非ハッチング領域）がＯＦＦ状態の透過領域３２ｈとなり、このＯＦＦ状態の透過領域３２ｈを透過する光は偏光軸が９０°変化されて通過する。なお、遮光領域３１ｉおよび透過領域３２ｈは、それぞれ、本発明の「遮光部」および「透過部」の一例である。
【００４４】
１／１２０秒〜２／１２０秒の間では、バックライト２から照射された光は、図１９に示すように、偏光板４により、約１３５°の偏光軸を有する光を透過する。そして、約１３５°の偏光軸を有する光は、上記のように制御された発光制御液晶パネル３に入射する。この場合、ＯＮ状態の領域３ｉの遮光領域３１ｉに入射した光は、偏光軸が変化されずにそのまま通過して、約４５°の偏光軸を有する偏光板５に入射する。そして、この偏光板５に入射した約１３５°の偏光軸を有する光は、約４５°の偏光軸を有する偏光板５によって遮光される。また、ＯＦＦ状態の領域３ｈの透過領域３２ｈに入射した光は、偏光軸が９０°変化されて、約４５°の偏光軸を有する光となって、約４５°の偏光軸を有する偏光板５に入射する。そして、この約４５°の偏光軸を有する光は、約４５°の偏光軸を有する偏光板５をそのまま通過する。
【００４５】
したがって、発光制御液晶パネル３の領域３ｈの透過領域３２ｈを通過した光は、図２０に示すように、蝿の目レンズ６のレンズ部６ａにより、右目１０ｂおよび２０ｂの位置する領域に集光される。この期間（１／１２０秒〜２／１２０秒）では、表示パネル７には、右目１０ｂおよび２０ｂ用の右目用画像Ｒ１が表示されているので、右目１０ｂおよび２０ｂは、右目用画像Ｒ１を観察することが可能となる。これに対して、左目１０ａおよび２０ａには、バックライト２から照射された光は到達しない。
【００４６】
そして、２／１２０秒〜３／１２０秒の間では、図１３〜図１６に示した０／１２０秒〜１／１２０秒の間と同様に、左目１０ａおよび２０ａは、表示パネル７に左目用画像Ｌ１を観察するとともに、右目１０ｂおよび２０ｂには、バックライト２から照射された光は到達しない。そして、３／１２０秒〜４／１２０秒の間では、図１７〜図２０に示した１／１２０秒〜２／１２０秒の間と同様に、右目１０ｂおよび２０ｂは、表示パネル７に右目用画像Ｒ１を観察するとともに、左目１０ａおよび２０ａには、バックライト２から照射された光は到達しない。この後も、１／６０秒（２／１２０秒）毎に、同様の動作が繰り返される。これにより、１フレーム期間（１／６０秒（２／１２０秒））の間に、左目１０ａおよび２０ａは左目用画像Ｌ１を見ることが可能となるとともに、右目１０ｂおよび２０ｂは右目用画像Ｒ１を見ることが可能となる。その結果、左目１０ａおよび２０ａおよび右目１０ｂおよび２０ｂは、それぞれ同時に、表示パネル７に表示される左目用画像Ｌ１および右目用画像Ｒ１を連続して観察していると認識することになるので、観察者１０および２０に立体画像を提供することが可能となる。
【００４７】
（横向き配置時の２画面表示モード）
図２１〜図２８は、図１に示した第１実施形態による画像表示装置の横向き配置時における２画面表示方法を説明するための図である。なお、図２４および図２７において、破線は、偏光板４、５および８の偏光軸の角度を示すとともに、矢印は、透過光の偏光軸の角度を示す。なお、横向き配置時には、縦向き配置時に比べて偏光軸が９０°ずつ回転するが、第１実施形態では、簡略化のため、横向き配置時においても、縦向き配置時の偏光軸の角度をそのまま用いて説明する。次に、図３および図２１〜図２８を参照して、本発明の第１実施形態による画像表示装置１の横向き配置時における２画面表示方法について説明する。
【００４８】
横向き配置時の２画面表示モードでは、図２１に示すように、発光制御液晶パネル３には、図２１のＡ方向に沿って延びる領域３ｊおよび３ｋが設けられており、その領域３ｊおよび３ｋは、Ｂ方向に交互に隣接するように設けられている。また、領域３ｊには、透明基板３ｂ側に形成される電極３ｅ（図３参照）の内の所定の４本の電極３１ｅが設けられるとともに、領域３ｋには、透明基板３ｂ側に形成される電極３ｅの内の所定の４本の電極３２ｅが設けられる。つまり、各々の領域３ｊおよび３ｋは、それぞれ、４本の電極３ｅ分のＢ方向の長さを有している。なお、電極３１ｅおよび３２ｅは、それぞれ、本発明の「第３電極」および「第４電極」の一例である。そして、図２２および図２８に示すように、領域３ｊおよび領域３ｋからなる組は、蝿の目レンズ６の１つのレンズ部６ａにつき１組が対応する。これにより、領域３ｊを通過した光を、蝿の目レンズ６のレンズ部６ａにより、観察者４０が位置する領域に集光させるとともに、領域３ｋを通過した光を、蝿の目レンズ６のレンズ部６ａにより、観察者３０が位置する領域に集光させることが可能となる。
【００４９】
上記構成において、０／１２０秒〜１／１２０秒の間では、図２３に示すように、透明基板３ａに形成される電極３ｄ（図３参照）および領域３ｋに位置する電極３２ｅ（図２１参照）には、共通のパルス状の電圧（第５電圧）が印加される。これに対して、領域３ｊに位置する電極３１ｅ（図２１参照）には、電極３２ｅおよび３ｅに印加されるパルス状の電圧（第５電圧）とは異なる逆位相のパルス状の電圧（第６電圧）が印加される。これにより、透明基板３ａ側の電極３ｄと、透明基板３ｂ側の電極３１ｅとの間に電位差が生じるので、液晶３ｃ（図３参照）の電極３１ｅに対応する部分に電圧が印加される。すなわち、図２１に示すように、液晶３ｃの電極３１ｅに対応する領域３ｊ（ハッチング領域）がＯＮ状態の遮光領域３１ｊとなり、このＯＮ状態の遮光領域３１ｊを透過する光は偏光軸が変化されずに通過する。これに対して、透明基板３ａ側の電極３ｄと、透明基板３ｂ側の電極３２ｅとの間には電位差が生じないので、液晶３ｃの電極３２ｅに対応する部分には電圧が印加されない。すなわち、液晶３ｃの電極３２ｅに対応する領域３ｋ（非ハッチング領域）がＯＦＦ状態の透過領域３２ｋとなり、このＯＦＦ状態の透過領域３２ｋを透過する光は偏光軸が９０°変化されて通過する。なお、遮光領域３１ｊおよび透過領域３２ｋは、それぞれ、本発明の「遮光部」および「透過部」の一例である。
【００５０】
０／１２０秒〜１／１２０秒の間では、バックライト２から照射された光は、図２４に示すように、偏光板４により、約１３５°の偏光軸を有する光を透過する。そして、約１３５°の偏光軸を有する光は、上記のように制御された発光制御液晶パネル３に入射する。この場合、ＯＮ状態の領域３ｊの遮光領域３１ｊに入射した光は、偏光軸が変化されずにそのまま通過して、約４５°の偏光軸を有する偏光板５に入射する。そして、この偏光板５に入射した約１３５°の偏光軸を有する光は、約４５°の偏光軸を有する偏光板５によって遮光される。また、ＯＦＦ状態の領域３ｋの透過領域３２ｋに入射した光は、偏光軸が９０°変化されて、約４５°の偏光軸を有する光となって、約４５°の偏光軸を有する偏光板５に入射する。そして、この約４５°の偏光軸を有する光は、約４５°の偏光軸を有する偏光板５をそのまま通過する。
【００５１】
したがって、発光制御液晶パネル３の領域３ｋの透過領域３２ｋを通過した光は、図２２に示すように、蝿の目レンズ６のレンズ部６ａにより、観察者３０の位置する領域に集光される。この期間（０／１２０秒〜１／１２０秒）では、表示パネル７には、観察者３０用の平面画像Ｐ３（たとえば、カーナビゲーション用画像）が表示されているので、観察者３０は、平面画像Ｐ３を観察することが可能となる。これに対して、観察者４０には、バックライト２から照射された光は到達しない。
【００５２】
そして、１／１２０秒〜２／１２０秒の間では、図２５に示すように、透明基板３ａに形成される電極３ｄ（図３参照）および領域３ｊに位置する電極３１ｅ（図２６参照）には、共通のパルス状の電圧（第７電圧）が印加される。これに対して、領域３ｋに位置する電極３２ｅ（図２６参照）には、電極３１ｅおよび３ｅに印加されるパルス状の電圧（第７電圧）とは異なる逆位相のパルス状の電圧（第８電圧）が印加される。これにより、透明基板３ａ側の電極３ｄと、透明基板３ｂ側の電極３２ｅとの間に電位差が生じるので、液晶３ｃ（図３参照）の電極３２ｅに対応する部分に電圧が印加される。すなわち、図２６に示すように、液晶３ｃの電極３２ｅに対応する領域３ｋ（ハッチング領域）がＯＮ状態の遮光領域３１ｋとなり、このＯＮ状態の遮光領域３１ｋを透過する光は偏光軸が変化されずに通過する。これに対して、透明基板３ｂ側の電極３１ｅと、透明基板３ａ側の電極３ｄとの間には電位差が生じないので、液晶３ｃの電極３１ｅに対応する部分には電圧が印加されない。すなわち、液晶３ｃの電極３１ｅに対応する領域３ｊ（非ハッチング領域）がＯＦＦ状態の透過領域３２ｊとなり、このＯＦＦ状態の透過領域３２ｊを透過する光は偏光軸が９０°変化されて通過する。なお、遮光領域３１ｋおよび透過領域３２ｊは、それぞれ、本発明の「遮光部」および「透過部」の一例である。
【００５３】
１／１２０秒〜２／１２０秒の間では、バックライト２から照射された光は、図２７に示すように、偏光板４により、約１３５°の偏光軸を有する光を透過する。そして、約１３５°の偏光軸を有する光は、上記のように制御された発光制御液晶パネル３に入射する。この場合、ＯＮ状態の領域３ｋの遮光領域３１ｋに入射した光は、偏光軸が変化されずにそのまま通過して、約４５°の偏光軸を有する偏光板５に入射する。そして、この偏光板５に入射した約１３５°の偏光軸を有する光は、約４５°の偏光軸を有する偏光板５によって遮光される。また、ＯＦＦ状態の領域３ｊの透過領域３２ｊに入射した光は、偏光軸が９０°変化されて、約４５°の偏光軸を有する光となって、約４５°の偏光軸を有する偏光板５に入射する。そして、この約４５°の偏光軸を有する光は、約４５°の偏光軸を有する偏光板５をそのまま通過する。
【００５４】
したがって、発光制御液晶パネル３の領域３ｊの透過領域３２ｊを通過した光は、図２８に示すように、蝿の目レンズ６のレンズ部６ａにより、観察者４０の位置する領域に集光される。この期間（１／１２０秒〜２／１２０秒）では、表示パネル７には、観察者４０用の平面画像Ｐ４（たとえば、テレビ用画像）が表示されているので、観察者４０は、平面画像Ｐ４を観察することが可能となる。これに対して、観察者３０には、バックライト２から照射された光は到達しない。
【００５５】
そして、２／１２０秒〜３／１２０秒の間では、図２１〜図２４に示した０／１２０秒〜１／１２０秒の間と同様に、観察者３０は、表示パネル７に画像Ｐ３を観察するとともに、観察者４０には、バックライト２から照射された光は到達しない。そして、３／１２０秒〜４／１２０秒の間では、図２５〜図２８に示した１／１２０秒〜２／１２０秒の間と同様に、観察者４０は、表示パネル７に画像Ｐ４を観察するとともに、観察者３０には、バックライト２から照射された光は到達しない。この後も、１／６０秒（２／１２０秒）毎に、同様の動作が繰り返される。これにより、１フレーム期間（１／６０秒（２／１２０秒））の間に、観察者３０は画像Ｐ３を見ることが可能となるとともに、観察者４０は画像Ｐ４を見ることが可能となる。その結果、観察者３０および観察者４０は、それぞれ同時に、表示パネル７に表示される画像Ｐ３および画像Ｐ４を連続して観察していると認識することになるので、観察者３０および４０に画像劣化の少ない異なる画像を提供することが可能となる。
【００５６】
（横向き配置時の立体画像表示モード）
図２９〜図３６は、図１に示した第１実施形態による画像表示装置の横向き配置時における立体画像表示方法を説明するための図である。なお、図３２および図３５において、破線は、偏光板４、５および８の偏光軸の角度を示すとともに、矢印は、透過光の偏光軸の角度を示す。次に、図３および図２９〜図３６を参照して、本発明の第１実施形態による画像表示装置１の横向き配置時における立体画像表示方法について説明する。
【００５７】
横向き配置時の立体画像表示モードでは、図２９に示すように、発光制御液晶パネル３には、図２９のＡ方向に沿って延びる領域３ｌおよび３ｍが設けられており、その領域３ｌおよび３ｍは、Ｂ方向に交互に隣接するように設けられている。また、領域３ｌには、透明基板３ｂ側に形成される電極３ｅ（図３参照）の内の所定の２本の電極３３ｅが設けられるとともに、領域３ｍには、透明基板３ｂ側に形成される電極３ｅの内の所定の２本の電極３４ｅが設けられる。つまり、各々の領域３ｌおよび３ｍは、それぞれ、２本の電極３ｅ分のＢ方向の長さを有している。なお、電極３３ｅおよび３４ｅは、それぞれ、本発明の「第３電極」および「第４電極」の一例である。そして、図３０および図３６に示すように、領域３ｌおよび領域３ｍからなる組は、蝿の目レンズ６の１つのレンズ部６ａにつき２組が対応する。これにより、領域３ｌを通過した光を、蝿の目レンズ６のレンズ部６ａにより、観察者３０および４０の右目３０ｂおよび４０ｂが位置する領域に集光させるとともに、領域３ｍを通過した光を、蝿の目レンズ６のレンズ部６ａにより、観察者３０および４０の左目３０ａおよび４０ａが位置する領域に集光させることが可能となる。
【００５８】
上記構成において、０／１２０秒〜１／１２０秒の間では、図３１に示すように、透明基板３ａに形成される電極３ｄ（図３参照）および領域３ｍに位置する電極３４ｅ（図２９参照）には、共通のパルス状の電圧（第５電圧）が印加される。これに対して、領域３ｌに位置する電極３３ｅ（図２９参照）には、電極３４ｅおよび３ｄに印加されるパルス状の電圧（第５電圧）とは異なる逆位相のパルス状の電圧（第６電圧）が印加される。これにより、透明基板３ａ側の電極３ｄと、透明基板３ｂ側の電極３３ｅとの間に電位差が生じるので、液晶３ｃ（図３参照）の電極３３ｅに対応する部分に電圧が印加される。すなわち、図２９に示すように、液晶３ｃの電極３３ｅに対応する領域３ｌ（ハッチング領域）がＯＮ状態の遮光領域３１ｌとなり、このＯＮ状態の遮光領域３１ｌを透過する光は偏光軸が変化されずに通過する。これに対して、透明基板３ｂ側の電極３４ｅと、透明基板３ａ側の電極３ｄとの間には電位差が生じないので、液晶３ｃの電極３４ｅに対応する部分には電圧が印加されない。すなわち、液晶３ｃの電極３４ｅに対応する領域３ｍ（非ハッチング領域）がＯＦＦ状態の透過領域３２ｍとなり、このＯＦＦ状態の透過領域３２ｍを透過する光は偏光軸が９０°変化されて通過する。なお、遮光領域３１ｌおよび透過領域３２ｍは、それぞれ、本発明の「遮光部」および「透過部」の一例である。
【００５９】
０／１２０秒〜１／１２０秒の間では、バックライト２から照射された光は、図３２に示すように、偏光板４により、約１３５°の偏光軸を有する光を透過する。そして、約１３５°の偏光軸を有する光は、上記のように制御された発光制御液晶パネル３に入射する。この場合、ＯＮ状態の領域３ｌの遮光領域３１ｌに入射した光は、偏光軸が変化されずにそのまま通過して、約４５°の偏光軸を有する偏光板５に入射する。そして、この偏光板５に入射した約１３５°の偏光軸を有する光は、約４５°の偏光軸を有する偏光板５によって遮光される。また、ＯＦＦ状態の領域３ｍの透過領域３２ｍに入射した光は、偏光軸が９０°変化されて、約４５°の偏光軸を有する光となって、約４５°の偏光軸を有する偏光板５に入射する。そして、この約４５°の偏光軸を有する光は、約４５°の偏光軸を有する偏光板５をそのまま通過する。
【００６０】
したがって、発光制御液晶パネル３の領域３ｍの透過領域３２ｍを通過した光は、図３０に示すように、蝿の目レンズ６のレンズ部６ａにより、左目３０ａおよび４０ａの位置する領域に集光される。この期間（０／１２０秒〜１／１２０秒）では、表示パネル７には、左目用画像Ｌ２が表示されているので、左目３０ａおよび４０ａは、左目用画像Ｌ２を観察することが可能となる。これに対して、右目３０ｂおよび４０ｂには、バックライト２から照射された光は到達しない。
【００６１】
そして、１／１２０秒〜２／１２０秒の間では、図３３に示すように、透明基板３ａに形成される電極３ｄ（図３参照）および領域３ｌに位置する電極３３ｅ（図３４参照）には、共通のパルス状の電圧（第７電圧）が印加される。これに対して、領域３ｍに位置する電極３４ｅ（図３４参照）には、電極３３ｅおよび３ｄに印加されるパルス状の電圧（第７電圧）とは異なる逆位相のパルス状の電圧（第８電圧）が印加される。これにより、透明基板３ｂ側の電極３４ｅと、透明基板３ａ側の電極３ｄとの間に電位差が生じるので、液晶３ｃ（図３参照）の電極３４ｅに対応する部分に電圧が印加される。すなわち、図３４に示すように、液晶３ｃの電極３４ｅに対応する領域３ｍ（ハッチング領域）がＯＮ状態の遮光領域３１ｍとなり、このＯＮ状態の遮光領域３１ｍを透過する光は偏光軸が変化されずに通過する。これに対して、透明基板３ｂ側の電極３３ｅと、透明基板３ａ側の電極３ｄとの間には電位差が生じないので、液晶３ｃの電極３３ｅに対応する部分には電圧が印加されない。すなわち、液晶３ｃの電極３３ｅに対応する領域３ｌ（非ハッチング領域）がＯＦＦ状態の透過領域３２ｌとなり、このＯＦＦ状態の透過領域３２ｌを透過する光は偏光軸が９０°変化されて通過する。なお、遮光領域３１ｍおよび透過領域３２ｌは、それぞれ、本発明の「遮光部」および「透過部」の一例である。
【００６２】
１／１２０秒〜２／１２０秒の間では、バックライト２から照射された光は、図３５に示すように、偏光板４により、約１３５°の偏光軸を有する光を透過する。そして、約１３５°の偏光軸を有する光は、上記のように制御された発光制御液晶パネル３に入射する。この場合、ＯＮ状態の領域３ｍの遮光領域３１ｍに入射した光は、偏光軸が変化されずにそのまま通過して、約４５°の偏光軸を有する偏光板５に入射する。そして、この偏光板５に入射した約１３５°の偏光軸を有する光は、約４５°の偏光軸を有する偏光板５によって遮光される。また、ＯＦＦ状態の領域３ｌの透過領域３２ｌに入射した光は、偏光軸が９０°変化されて、約４５°の偏光軸を有する光となって、約４５°の偏光軸を有する偏光板５に入射する。そして、この約４５°の偏光軸を有する光は、約４５°の偏光軸を有する偏光板５をそのまま通過する。
【００６３】
したがって、発光制御液晶パネル３の領域３ｌの透過領域３２ｌを通過した光は、図３６に示すように、蝿の目レンズ６のレンズ部６ａにより、右目３０ｂおよび４０ｂの位置する領域に集光される。この期間（１／１２０秒〜２／１２０秒）では、表示パネル７には、右目用画像Ｒ２が表示されているので、右目３０ｂおよび４０ｂは、右目用画像Ｒ２を観察することが可能となる。これに対して、左目３０ａおよび４０ａには、バックライト２から照射された光は到達しない。
【００６４】
そして、２／１２０秒〜３／１２０秒の間では、図２９〜図３２に示した０／１２０秒〜１／１２０秒の間と同様に、左目３０ａおよび４０ａは、表示パネル７の左目用画像Ｌ２を観察するとともに、右目３０ｂおよび４０ｂには、バックライト２から照射された光は到達しない。そして、３／１２０秒〜４／１２０秒の間では、図３３〜図３６に示した１／１２０秒〜２／１２０秒の間と同様に、右目３０ｂおよび４０ｂは、表示パネル７に右目用画像Ｒ２を観察するとともに、左目３０ａおよび４０ａには、バックライト２から照射された光は到達しない。この後も、１／６０秒（２／１２０秒）毎に、同様の動作が繰り返される。これにより、１フレーム期間（１／６０秒（２／１２０秒））の間に、左目３０ａおよび４０ａは左目用画像Ｌ２を見ることが可能となるとともに、右目３０ｂおよび４０ｂは右目用画像Ｒ２を見ることが可能となる。その結果、左目３０ａおよび４０ａおよび右目３０ｂおよび４０ｂは、それぞれ同時に、表示パネル７に表示される左目用画像Ｌ２および右目用画像Ｒ２を連続して観察していると認識することになるので、観察者３０および４０に立体画像を提供することが可能となる。
【００６５】
（縦向き配置時および横向き配置時共通の視野角限定モード）
図３７および図３８は、図１に示した第１実施形態による画像表示装置の縦向き配置時における視野角限定表示方法を説明するための図である。次に、図３、図３７および図３８を参照して、本発明の第１実施形態による画像表示装置１の縦向き配置時の視野角限定表示方法について説明する。なお、画像表示装置１を横向きに配置した場合についても同様にして視野角限定表示を行うことができるので、その説明を省略する。
【００６６】
視野角限定モードでは、図３７に示すように、発光制御液晶パネル３には、図３７のＢ方向に沿って延びる領域３ｎおよび３ｏが設けられており、その領域３ｎおよび３ｏは、Ａ方向に交互に隣接するように設けられている。また、領域３ｎには、透明基板３ａ側に形成される電極３ｄ（図３参照）の内の所定の２本の電極３５ｄが設けられるとともに、領域３ｏには、透明基板３ａ側に形成される電極３ｄの内の所定の６本の電極３６ｄが設けられる。つまり、領域３ｎおよび３ｏは、それぞれ、２本の電極３ｄ分のＡ方向の長さおよび６本の電極３ｄ分のＡ方向の長さを有している。なお、電極３５ｄおよび３６ｄは、それぞれ、本発明の「第１電極」および「第２電極」の一例である。これにより、図３８に示すように、２本の電極３ｄ分のＡ方向の長さを有する領域３ｎを通過した光を、蝿の目レンズ６のレンズ部６ａにより、観察者５０が位置する所定の領域に集光させることが可能となる。
【００６７】
上記の構成において、図３７に示すように、領域３ｎに位置する電極３５ｄ、領域３ｏに位置する電極３６ｄ、および、透明基板３ｂに形成される電極３ｅ（図３参照）に加える電圧の印加状態を制御することによって、透明基板３ａ側の電極３６ｄと、透明基板３ｂ側の電極３ｅとの間に電位差が生じさせる。すなわち、液晶３ｃの電極３６ｄに対応する領域３ｏ（ハッチング領域）がＯＮ状態の遮光領域３１ｏとなり、このＯＮ状態の遮光領域３１ｏを透過する光は、偏光板５（図３８参照）によって遮光される。一方、液晶３ｃの電極３５ｄに対応する領域３ｎ（非ハッチング領域）がＯＦＦ状態の透過領域３２ｎとなり、このＯＦＦ状態の透過領域３２ｎを透過する光は、偏光板５（図３８参照）を通過する。なお、遮光領域３１ｏおよび透過領域３２ｎは、それぞれ、本発明の「遮光部」および「透過部」の一例である。そして、透過領域３２ｎおよび偏光板５を通過した光は、図３８に示すように、蝿の目レンズ６のレンズ部６ａにより、観察者５０が位置する領域にのみ集光される。このとき、表示パネル７には、観察者５０が観察するための画像Ｓが表示されているので、観察者５０は、画像Ｓを観察することが可能となる。これに対して、観察者５０が位置する領域以外の領域には、バックライト２から照射された光は到達しない。
【００６８】
（第１実施形態の効果）
第１実施形態では、上記のように、表示パネルが縦向きに配置された場合に、発光制御液晶パネル３に設けられる領域３ｆおよび３ｇをそれぞれ４本の電極３１ｄおよび３２ｄにより形成するとともに、領域３ｈおよび３ｉをそれぞれ２本の電極３３ｄおよび３４ｄにより形成することによって、透過領域３２ｆ〜３２ｉおよび蝿の目レンズ６のレンズ部６ａを介して進行する光の到達位置を制御することができる。これにより、異なる観察位置に位置する観察者に異なる画像を提供するとともに立体画像を提供することができる。また、表示パネルが横向きに配置された場合に、発光制御液晶パネル３に設けられる領域３ｊおよび３ｋをそれぞれ４本の電極３１ｅおよび３２ｅにより形成するとともに、領域３ｌおよび３ｍをそれぞれ２本の電極３３ｅおよび３４ｅにより形成することによって、透過領域３２ｊ〜３２ｍおよび蝿の目レンズ６のレンズ部６ａを介して進行する光の到達位置を制御することができる。これにより、異なる観察位置に位置する観察者に異なる画像を提供するとともに立体画像を提供することができる。これらの結果、同じ発光制御液晶パネル３を用いて、画像表示装置１を縦向きに配置した場合および横向きに配置した場合の両方で、異なる観察位置に位置する観察者に異なる画像を提供することができるとともに、立体画像を提供することができる。
【００６９】
また、第１実施形態の視野角限定モードでは、領域３ｎに、透明基板３ａ側に形成される電極３ｄ（図３参照）の内の所定の２本の電極３５ｄを設けるとともに、領域３ｏに、透明基板３ａ側に形成される電極３ｄの内の所定の６本の電極３６ｄを設けることによって、バックライト２から照射される光を透過させる透過領域３２ｎ（領域３ｎ）を、２本の電極３ｄ分のＡ方向の長さにすることができる。これにより、表示パネル７に表示される画像Ｓを観察することが可能な領域を小さくすることができる。その結果、観察者５０が表示パネル７に表示される画像Ｓを観察する視野角を制限することができるので、観察者５０が観察する表示パネル７の画像Ｓを、観察者５０とは異なる位置にいる観察者が観察するのを抑制することができる。
【００７０】
（第２実施形態）
図３９は、本発明の第２実施形態による画像表示装置の縦向き配置時において観察者が画像表示装置を見た状態を上方から示した図である。図４０は、図３９に示した第２実施形態による画像表示装置の縦向き配置時の発光制御液晶パネルの拡大図である。次に、図３９および図４０を参照して、この第２実施形態では、上記第１実施形態とは異なり、観察者の観察位置の移動に伴って立体画像の表示位置を変化させる画像表示装置１００について説明する。なお、画像表示装置１００を横向きに配置した場合についても同様にして、観察者の観察位置の移動に伴って立体画像を表示することができるので、その説明を省略する。
【００７１】
（縦向き配置時のヘッドトラッキングモード）
この第２実施形態による画像表示装置１００は、図３９に示すように、観察者６０の位置を検出するための位置検出センサ１３０と、位置検出センサ１３０により検出された観察者６０の位置に応じて、後述する発光制御液晶パネル３の領域３ｐの位置を移動させる制御部１４０とを備えている。なお、位置検出センサ１３０は、本発明の「位置検出手段」の一例である。また、第２実施形態のその他の構成は、上記した第１実施形態と同様である。
【００７２】
ヘッドトラッキングモードでは、図４０に示すように、発光制御液晶パネル３には、図４０のＢ方向に沿って延びる領域３ｐおよび３ｑが設けられており、その領域３ｐおよび３ｑは、Ａ方向に交互に隣接するように設けられている。また、領域３ｐには、透明基板３ａ側に形成される電極３ｄ（図３参照）の内の所定の１本の電極３７ｄが設けられるとともに、領域３ｑには、透明基板３ａ側に形成される電極３ｄの内の所定の７本の電極３８ｄが設けられる。つまり、領域３ｐおよび３ｑは、それぞれ、１本の電極３ｄ分のＡ方向の長さおよび７本の電極３ｄ分のＡ方向の長さを有している。なお、電極３７ｄおよび３８ｄは、それぞれ、本発明の「第１電極」および「第２電極」の一例である。これにより、図３９に示すように、１本の電極３ｄ分のＡ方向の長さを有する領域３ｐを通過した光を、蝿の目レンズ６のレンズ部６ａにより、観察者６０の左目６０ａが位置する所定の領域に集光させることが可能となる。
【００７３】
上記構成において、観察者６０が、図３９の矢印Ｈ方向に移動する場合には、位置検出センサ１３０が、観察者６０の観察位置が矢印Ｈ方向に移動したことを検出する。そして、位置検出センサ１３０から制御部１４０に移動検出情報が送信される。この移動検出情報に基づいて、制御部１４０は、領域３ｐを透過する光が観察者６０の左目１０ｂに入射するように、発光制御液晶パネル６の領域３ｐを、図３９の矢印Ｉ方向に移動させる。これにより、観察者６０が図３９の矢印Ｈ方向に移動したとしても、領域３ｐが観察者６０の移動に伴って図３９の矢印Ｉ方向に移動するため、領域３ｐを透過した光が蝿の目レンズ６のレンズ部６ａにより、左目６０ａが位置する領域に集光される。また、領域３ｐ以外の領域３ｑを透過した光は、蝿の目レンズ６のレンズ部６ａにより、左目６０ａが位置する領域以外の領域に集光される。そして、１／１２０秒毎に、発光制御液晶パネル３の領域３ｐおよび３ｑの電圧の印加状態を変化させることにより、領域３ｐおよび３ｑの光の透過および遮光を交互に切り換えるとともに、発光制御液晶パネル３の領域３ｐおよび３ｑの印加状態の変化に同期するように、表示パネル７に表示される左目用画像と右目用画像とを入れ替える。
【００７４】
（第２実施形態の効果）
第２実施形態では、上記のように、観察者６０の位置を検出するための位置検出センサ１３０と、位置検出センサ１３０により検出された観察者６０の位置に応じて、発光制御液晶パネル３の領域３ｐを移動させるための制御部１４０とを設けることによって、観察者６０が動くのを位置検出センサ１３０により検出するとともに、その移動検出情報に基づいて発光制御液晶パネル３の領域３ｐを移動させることができる。これにより、観察者６０が移動した場合も、観察者６０に適切な画像を提供することができる。なお、上記第２実施形態の位置検出センサ１３０を、画像認識などにより複数人の観察者の移動を検出可能に構成するとともに、制御部１４０を複数人の観察者に対応する領域３ｐを個々に移動可能なように構成すれば、複数人の観察者が移動した場合にも、各観察者に適切な立体画像を提供することができる。
【００７５】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００７６】
たとえば、上記第１実施形態の２画面表示モードおよび立体画像表示モードでは、１／２フレーム期間（１／１２０秒）毎に発光制御液晶パネル３の電極３ｄおよび３ｅに印加する電圧を制御する例を示したが、本発明はこれに限らず、発行制御液晶パネル３の電極３ｄおよび３ｅを１／ｎ（たとえば、１／４）フレーム期間（ｎは２以上の自然数）毎に制御してもよい。なお、２画面表示モードにおいて、発光制御液晶パネル３の電極３ｄおよび３ｅを、１／ｎフレーム期間毎に制御する場合には、表示パネル７に表示される画像Ｐ１およびＰ２を、電極３ｄおよび３ｅの制御と同期させて、１／ｎフレーム期間毎に入れ替える必要がある。また、立体画像表示モードにおいて、発光制御液晶パネル３の電極３ｄおよび３ｅを、１／ｎフレーム期間毎に制御する場合には、表示パネル７に表示される左目用画像Ｌ１および右目用画像Ｒ１を、電極３ｄおよび３ｅの制御と同期させて、１／ｎフレーム期間毎に入れ替える必要がある。
【００７７】
また、上記実施形態では、透明基板６ａおよび６ｂに形成される電極６ｄおよび６ｅにパルス状の電圧を印加する例を示したが、本発明はこれに限らず、たとえば、電極６ｄおよび６ｅの所定の電極に定電圧を印加することにより、所定の電極６ｄおよび６ｅに対応する液晶に電圧が印加されるようにしてもよい。
【００７８】
また、上記実施形態では、蝿の目レンズ６のレンズ部６ａを観察者１０および２０側に設ける例を示したが、本発明はこれに限らず、蝿の目レンズ６のレンズ部６ａをバックライト２側に設けてもよい。この場合、図４１の第１変形例に示すように、蝿の目レンズ２０７ａを表示パネル２０７に一体的に形成してもよい。これにより、蝿の目レンズ２０７ａと、表示パネル２０７とを別個に設ける場合に比べて、部品点数を削減することが可能となる。
【００７９】
また、上記実施形態では、発光制御液晶パネル３の観察者１０および２０側の偏光板５と、表示パネル７との間に蝿の目レンズ６を設ける例を示したが、本発明はこれに限らず、図４２の第２変形例に示すように、蝿の目レンズ３０３ａを発光制御液晶パネル３０３に一体的に形成してもよい。これにより、蝿の目レンズ３０３ａと、発光制御液晶パネル３０３とを別個に設ける場合に比べて、部品点数を削減することが可能となる。この場合、発光制御液晶パネル３０３の観察者１０および２０側の偏光板３０５を、表示パネル７のバックライト２側に配置すればよい。
【００８０】
また、上記実施形態では、発光制御液晶パネル３は、９０°ＴＮ方式を用い、発光制御液晶パネル３を挟んで対向するように配置される偏光板４および５が、互いに直交する偏光軸を有する例を示したが、本発明はこれに限らず、たとえば、ＶＡ（Ｖｅｒｔｉｃａｌ  Ａｌｉｇｎｍｅｎｔ）方式およびＥＣＢ（Ｅｌｅｃｔｒｉｃａｌｌｙ  Ｃｏｎｔｒｏｌｌｅｄ  Ｂｉｒｅｆｒｉｎｇｅｎｃｅ）方式などの他の方式を用いてもよい。この場合、たとえば、ＶＡ方式を用いれば、発光制御液晶パネル３を挟み込むように配置された偏光板４および５を、同じ偏光軸を有する偏光板により構成すればよい。
【００８１】
また、上記実施形態では、偏光板４、５および８の偏光軸を、それぞれ、約１３５°、約４５°および約４５°に設定する例を示したが、本発明はこれに限らず、偏光板４、５および８の偏光軸を上記の値以外の値に設定してもよい。
【００８２】
また、上記実施形態では、表示パネルを縦向きに配置した場合と横向きに配置した場合とのそれぞれの場合において、異なる観察位置の観察者に異なる画像を提供する２画面表示モードと、観察者に立体画像を提供する立体画像表示モードとについて説明したが、この際、表示パネルの傾斜角度を検知するための傾斜センサを設けるようにしてもよい。このように構成すれば、容易に、表示パネルの配置状態（縦向き配置、横向き配置）を判断することができる。これにより、表示パネルの配置状態に応じて、発光制御液晶パネルの電極への電圧の印加状態を変化させることにより、所定の位置に透過領域および遮光領域を設けることができる。その結果、表示パネルが縦向きに配置された場合および横向きに配置された場合の両方で、２人の観察者に異なる画像を提供することができるとともに、立体画像を提供することができる。
【図面の簡単な説明】
【００８３】
【図１】本発明の第１実施形態による画像表示装置の分解斜視図である。
【図２】図１に示した第１実施形態による画像表示装置の縦向き配置時において観察者が画像表示装置を見た状態を上方から示した図である。
【図３】図１に示した第１実施形態による画像表示装置の発光制御液晶パネルの分解斜視図である。
【図４】図１に示した第１実施形態による画像表示装置の縦向き配置時における２画面表示方法を説明するための発光制御液晶パネルの拡大図である。
【図５】図１に示した第１実施形態による画像表示装置の縦向き配置時における２画面表示方法を説明するための発光制御液晶パネルの平面図である。
【図６】図１に示した第１実施形態による画像表示装置の縦向き配置時における２画面表示方法を説明するための画像表示装置を観察者が見た状態を上方から示した図である。
【図７】図１に示した第１実施形態による画像表示装置の縦向き配置時の２画面表示モードにおける発光制御液晶パネルの電極に印加される電圧波形図である。
【図８】図１に示した第１実施形態による画像表示装置の縦向き配置時における２画面表示方法を説明するための図である。
【図９】図１に示した第１実施形態による画像表示装置の縦向き配置時の２画面表示モードにおける発光制御液晶パネルの電極に印加される電圧波形図である。
【図１０】図１に示した第１実施形態による画像表示装置の縦向き配置時における２画面表示方法を説明するための発光制御液晶パネルの拡大図である。
【図１１】図１に示した第１実施形態による画像表示装置の縦向き配置時における２画面表示方法を説明するための図である。
【図１２】図１に示した第１実施形態による画像表示装置の縦向き配置時における２画面表示方法を説明するための画像表示装置を観察者が見た状態を上方から示した図である。
【図１３】図１に示した第１実施形態による画像表示装置の縦向き配置時における立体画像表示方法を説明するための発光制御液晶パネルの拡大図である。
【図１４】図１に示した第１実施形態による画像表示装置の縦向き配置時における立体画像表示方法を説明するための画像表示装置を観察者が見た状態を上方から示した図である。
【図１５】図１に示した第１実施形態による画像表示装置の縦向き配置時の立体画像表示モードにおける発光制御液晶パネルの電極に印加される電圧波形図である。
【図１６】図１に示した第１実施形態による画像表示装置の縦向き配置時における立体画像表示方法を説明するための図である。
【図１７】図１に示した第１実施形態による画像表示装置の縦向き配置時の立体画像表示モードにおける発光制御液晶パネルの電極に印加される電圧波形図である。
【図１８】図１に示した第１実施形態による画像表示装置の縦向き配置時における立体画像表示方法を説明するための発光制御液晶パネルの拡大図である。
【図１９】図１に示した第１実施形態による画像表示装置の縦向き配置時における立体画像表示方法を説明するための図である。
【図２０】図１に示した第１実施形態による画像表示装置の縦向き配置時における立体画像表示方法を説明するための画像表示装置を観察者が見た状態を上方から示した図である。
【図２１】図１に示した第１実施形態による画像表示装置の横向き配置時における２画面表示方法を説明するための発光制御液晶パネルの拡大図である。
【図２２】図１に示した第１実施形態による画像表示装置の横向き配置時における２画面表示方法を説明するための画像表示装置を観察者が見た状態を上方から示した図である。
【図２３】図１に示した第１実施形態による画像表示装置の横向き配置時の２画面表示モードにおける発光制御液晶パネルの電極に印加される電圧波形図である。
【図２４】図１に示した第１実施形態による画像表示装置の横向き配置時における２画面表示方法を説明するための図である。
【図２５】図１に示した第１実施形態による画像表示装置の横向き配置時の２画面表示モードにおける発光制御液晶パネルの電極に印加される電圧波形図である。
【図２６】図１に示した第１実施形態による画像表示装置の横向き配置時における２画面表示方法を説明するための発光制御液晶パネルの拡大図である。
【図２７】図１に示した第１実施形態による画像表示装置の横向き配置時における２画面表示方法を説明するための図である。
【図２８】図１に示した第１実施形態による画像表示装置の横向き配置時における２画面表示方法を説明するための画像表示装置を観察者が見た状態を上方から示した図である。
【図２９】図１に示した第１実施形態による画像表示装置の横向き配置時における立体画像表示方法を説明するための発光制御液晶パネルの拡大図である。
【図３０】図１に示した第１実施形態による画像表示装置の横向き配置時における立体画像表示方法を説明するための画像表示装置を観察者が見た状態を上方から示した図である。
【図３１】図１に示した第１実施形態による画像表示装置の横向き配置時の立体画像表示モードにおける発光制御液晶パネルの電極に印加される電圧波形図である。
【図３２】図１に示した第１実施形態による画像表示装置の横向き配置時における立体画像表示方法を説明するための図である。
【図３３】図１に示した第１実施形態による画像表示装置の横向き配置時の立体画像表示モードにおける発光制御液晶パネルの電極に印加される電圧波形図である。
【図３４】図１に示した第１実施形態による画像表示装置の横向き配置時における立体画像表示方法を説明するための発光制御液晶パネルの拡大図である。
【図３５】図１に示した第１実施形態による画像表示装置の横向き配置時における立体画像表示方法を説明するための図である。
【図３６】図１に示した第１実施形態による画像表示装置の横向き配置時における立体画像表示方法を説明するための画像表示装置を観察者が見た状態を上方から示した図である。
【図３７】図１に示した第１実施形態による画像表示装置の縦向き配置時における視野角限定表示方法を説明するための発光制御液晶パネルの拡大図である。
【図３８】図１に示した第１実施形態による画像表示装置の縦向き配置時における視野角限定表示方法を説明するための画像表示装置を観察者が見た状態を上方から示した図である。
【図３９】本発明の第２実施形態による画像表示装置の縦向き配置時において観察者が画像表示装置を見た状態を上方から示した図である。
【図４０】図３９に示した第２実施形態による画像表示装置の縦向き配置時の発光制御液晶パネルの拡大図である。
【図４１】図１に示した本発明の第１実施形態の第１変形例による画像表示装置を観察者が見た状態を上方から示した図である。
【図４２】図１に示した本発明の第１実施形態の第２変形例による画像表示装置を観察者が見た状態を上方から示した図である。
【符号の説明】
【００８４】
１、１００  画像表示装置
２  バックライト（光源）
３  発光制御液晶パネル（発光制御手段）
３１ｆ、３１ｇ、３１ｈ、３１ｉ、３１ｊ、３１ｋ、３１ｌ、３１ｍ、３１ｎ、３１ｏ  遮光領域（遮光部）
３２ｆ、３２ｇ、３２ｈ、３２ｉ、３２ｊ、３２ｋ、３２ｌ、３２ｍ、３２ｎ、３２ｏ  透過領域（透過部）
６  蝿の目レンズ（レンズ）
７  表示パネル
【図１】
2007094129.tif 000003
【図２】
2007094129.tif 000004
【図３】
2007094129.tif 000005
【図４】
2007094129.tif 000006
【図５】
2007094129.tif 000007
【図６】
2007094129.tif 000008
【図７】
2007094129.tif 000009
【図８】
2007094129.tif 000010
【図９】
2007094129.tif 000011
【図１０】
2007094129.tif 000012
【図１１】
2007094129.tif 000013
【図１２】
2007094129.tif 000014
【図１３】
2007094129.tif 000015
【図１４】
2007094129.tif 000016
【図１５】
2007094129.tif 000017
【図１６】
2007094129.tif 000018
【図１７】
2007094129.tif 000019
【図１８】
2007094129.tif 000020
【図１９】
2007094129.tif 000021
【図２０】
2007094129.tif 000022
【図２１】
2007094129.tif 000023
【図２２】
2007094129.tif 000024
【図２３】
2007094129.tif 000025
【図２４】
2007094129.tif 000026
【図２５】
2007094129.tif 000027
【図２６】
2007094129.tif 000028
【図２７】
2007094129.tif 000029
【図２８】
2007094129.tif 000030
【図２９】
2007094129.tif 000031
【図３０】
2007094129.tif 000032
【図３１】
2007094129.tif 000033
【図３２】
2007094129.tif 000034
【図３３】
2007094129.tif 000035
【図３４】
2007094129.tif 000036
【図３５】
2007094129.tif 000037
【図３６】
2007094129.tif 000038
【図３７】
2007094129.tif 000039
【図３８】
2007094129.tif 000040
【図３９】
2007094129.tif 000041
【図４０】
2007094129.tif 000042
【図４１】
2007094129.tif 000043
【図４２】
2007094129.tif 000044